(57)【要約】【課題】リモコンを用いてデータ選択をする際ユーザの操作性を向上させること。【解決手段】楽曲を再生するコンポ２と、楽曲の再生にかかわる操作指示をコンポ２に対して操作部３５により操作して通信部３７を介して送信するリモコン３とを備えるオーディオシステム１において、コンポ２は、通信部２７と、自装置で再生可能な楽曲に関する楽曲情報を管理するための管理データベース情報を作成し、管理データベース情報を通信部２７を介してリモコン３に送信するＣＰＵ２１と、を備え、リモコン３は、表示部３４と、通信部３７と、管理データベース情報を通信部３７を介して受信し、当該受信された管理データベース情報に含まれる楽曲情報（楽曲名）を表示部３４に表示させ、当該表示された楽曲名の中から選択された楽曲名に対応する楽曲の再生指示を通信部３７を介してコンポ２に送信するＣＰＵ３１と、を備える。【選択図】図１
2010257533.tif 000002
【特許請求の範囲】
【請求項１】
データを再生する再生装置と、前記データの再生にかかわる操作指示を前記再生装置に対して遠隔操作部により操作して送信するリモコン装置とを備えるデータ再生システムにおいて、
前記再生装置は、
前記リモコン装置と通信を行う第１の通信部と、
自装置で再生可能なデータに関する再生情報を管理するための管理データベース情報を作成し、当該作成された管理データベース情報を前記第１の通信部を介して前記リモコン装置に送信する第１の制御部と、を備え、
前記リモコン装置は、
表示部と、
前記再生装置と通信を行う第２の通信部と、
前記管理データベース情報を前記第２の通信部を介して受信し、当該受信された管理データベース情報に含まれる前記再生情報を前記表示部に表示させ、当該表示された再生情報の中から選択された再生情報に対応する前記データの再生指示を前記遠隔操作部を介して前記再生装置に送信する第２の制御部と、
を備えるデータ再生システム。
【請求項２】
前記第１の制御部は、
前記リモコン装置が有する前記管理データベース情報の更新が必要であるか否かを判別し、更新が必要な場合に、前記管理データベース情報を前記第１の通信部を介して前記リモコン装置に送信する請求項１に記載のデータ再生システム。
【請求項３】
前記第１の制御部は、
前記再生装置に外部デバイスが接続された場合、当該接続された外部デバイスから再生情報を取得し、当該取得された再生情報に基づいて、前記管理データベース情報を再構成し、当該再構成された管理データベース情報を前記第１の通信部を介して前記リモコン装置に送信する請求項１又は２に記載のデータ再生システム。
【請求項４】
前記第２の制御部は、
前記管理データベース情報に基づいて、前記再生情報を選択するための選択情報からなる選択リストを作成し、当該作成された選択リストを前記表示部に表示させ、当該表示された選択リストの中から選択された選択情報に含まれる前記再生情報を前記表示部に表示させる請求項１から３のいずれか一項に記載のデータ再生システム。
【発明の詳細な説明】
【技術分野】
【０００１】
本発明は、データ再生システムに関する。
【背景技術】
【０００２】
従来、データ再生システムを適用したオーディオシステムが知られている。当該オーディオシステムは、楽曲の再生を行うオーディオ装置と、楽曲の選択や再生の指示を行うリモコン装置とを備えて構成される。
【０００３】
オーディオシステムにおいて、楽曲の選択及び再生を行う形態としては様々な形態がある。例えば、オーディオ装置に外部デバイス（例えば、ＤＡＰ（Digital audio player））が接続され、当該接続されたＤＡＰに入っている楽曲の選択及び再生をリモコン装置で行う形態が知られている。
【０００４】
この形態における動作を具体的に説明する。先ず、オーディオ装置にＤＡＰが接続されると、ＤＡＰのファイル構造（ファイルシステム）がオーディオ装置により解析される。そして、解析されたファイルシステム上に存在するフォルダや楽曲ファイルが検出される。そして、検出されたフォルダや楽曲ファイルに関する楽曲情報（例えば、楽曲のアーティスト名やタイトル名等の情報）がオーディオ装置の表示部に表示される。そして、オーディオ装置の表示部に表示された楽曲情報がユーザにより参照される。そして、ユーザが再生したい楽曲の操作指示（選択操作及び再生操作）がリモコン装置を介して行われる。そして、操作指示がオーディオ装置に送信されて楽曲の再生が行われる。
【０００５】
また、非圧縮ＰＣＭ（Pulse Code Modulation）伝送方式トランスミッター（以下、トランスミッター）を装着したＤＡＰがオーディオ装置と接続され、当該接続されたＤＡＰに入っている楽曲の選択及び再生を行う形態も知られている。この場合、トランスミッターを装着したＤＡＰがリモコン装置として機能する。具体的には、楽曲情報がＤＡＰの表示部に表示され、当該表示された楽曲情報がユーザにより参照される。そして、ユーザが再生したい楽曲の操作指示（選択操作及び再生操作）がＤＡＰを介して行われる。そして、選択された楽曲がＤＡＰに装着されたトランスミッターによりデコードされ、デコードされた音声信号がオーディオ装置に送信されて楽曲の再生が行われる。
【０００６】
また、ホーム機器に接続されたポータブル機器から楽曲管理データを取得し、取得した楽曲管理データから楽曲データをランダムに選択し、選択した楽曲データをポータブル機器に送信することで容易に多機能化を実現するオーディオシステムも知られている（例えば、特許文献１参照）。
【先行技術文献】
【特許文献】
【０００７】
【特許文献１】特開２００７−１７２７９２号公報
【発明の概要】
【発明が解決しようとする課題】
【０００８】
しかしながら、上述の楽曲の操作指示をリモコン装置で行う形態の場合、ユーザは、オーディオ装置の表示部を参照しながらリモコン装置の操作を行う。このため、オーディオ装置とリモコン装置とを交互に確認しながら操作することとなり、操作に手間を要していた。
また、トランスミッターを装着したＤＡＰに入っている楽曲の選択及び再生を行う形態の場合、トランスミッターをＤＡＰに装着するため、ＤＡＰが重くなり、ユーザはＤＡＰ（リモコン装置）を持って操作しづらいという問題に加えて、ＤＡＰに記憶された楽曲のみの操作しか行うことができないという問題があった。
このため、リモコン装置を用いて楽曲選択（データ選択）をする際、ユーザの操作性を向上させる技術を実現する要請があった。  
【０００９】
本発明の課題は、リモコンを用いてデータ選択をする際、ユーザの操作性を向上させることである。
【課題を解決するための手段】
【００１０】
上記課題を解決するために、請求項１に記載の発明のデータ再生システムは、
データを再生する再生装置と、前記データの再生にかかわる操作指示を前記再生装置に対して遠隔操作部により操作して送信するリモコン装置とを備えるデータ再生システムにおいて、
前記再生装置は、
前記リモコン装置と通信を行う第１の通信部と、
自装置で再生可能なデータに関する再生情報を管理するための管理データベース情報を作成し、当該作成された管理データベース情報を前記第１の通信部を介して前記リモコン装置に送信する第１の制御部と、を備え、
前記リモコン装置は、
表示部と、
前記再生装置と通信を行う第２の通信部と、
前記管理データベース情報を前記第２の通信部を介して受信し、当該受信された管理データベース情報に含まれる前記再生情報を前記表示部に表示させ、当該表示された再生情報の中から選択された再生情報に対応する前記データの再生指示を前記遠隔操作部を介して前記再生装置に送信する第２の制御部と、
を備える。
【００１１】
請求項２に記載の発明は、請求項１に記載のデータ再生システムにおいて、
前記第１の制御部は、
前記リモコン装置が有する前記管理データベース情報の更新が必要であるか否かを判別し、更新が必要な場合に、前記管理データベース情報を前記第１の通信部を介して前記リモコン装置に送信する。
【００１２】
請求項３に記載の発明は、請求項１又は２に記載のデータ再生システムにおいて、
前記第１の制御部は、
前記再生装置に外部デバイスが接続された場合、当該接続された外部デバイスから再生情報を取得し、当該取得された再生情報に基づいて、前記管理データベース情報を再構成し、当該再構成された管理データベース情報を前記第１の通信部を介して前記リモコン装置に送信する。
【００１３】
請求項４に記載の発明は、請求項１から３のいずれか一項に記載のデータ再生システムにおいて、
前記第２の制御部は、
前記管理データベース情報に基づいて、前記再生情報を選択するための選択情報からなる選択リストを作成し、当該作成された選択リストを前記表示部に表示させ、当該表示された選択リストの中から選択された選択情報に含まれる前記再生情報を前記表示部に表示させる。  
【発明の効果】
【００１４】
本発明によれば、リモコンを用いてデータ選択をする際、ユーザの操作性を向上させることができる。
【図面の簡単な説明】
【００１５】
【図１】本発明に係るオーディオシステムの概略構成を示す図である。
【図２】本発明に係るオーディオシステム概略構成を示す図である。
【図３】コンポの内部構成を示す図である。
【図４】リモコンの内部構成を示す図である。
【図５】楽曲情報の一例を示す図である。
【図６】管理データベース情報の一例を示す図である。
【図７】コンポ側動作処理の流れを示すフローチャートである。
【図８】リモコン側動作処理の流れを示すフローチャートである。
【図９】第１の更新処理の流れを示すフローチャートである。
【図１０】選択リストからフォルダが選択されたときに表示される情報の一例を示す図である。
【図１１】選択リストからアーティストが選択されたときに表示される情報の一例を示す図である。
【図１２】第２の更新処理の流れを示すフローチャートである。
【図１３】第３の更新処理の流れを示すフローチャートである。
【図１４】第１の新規デバイス追加処理の流れを示すフローチャートである。
【図１５】第２の新規デバイス追加処理の流れを示すフローチャートである。
【発明を実施するための形態】
【００１６】
以下、添付図面を参照して本発明に係る実施の形態を詳細に説明する。ただし、発明の範囲は、図示例に限定されない。
【００１７】
図１〜図１５を参照して本発明に係る実施の形態を説明する。先ず、図１及び図２を参照して、本発明に係るデータ再生システムを適用したオーディオシステムについて説明する。図１及び図２に示すオーディオシステム１は、データ（楽曲）を再生する再生装置としてのコンポ２と、楽曲の再生にかかわる操作をコンポ２に対して遠隔操作するリモコン装置としてのリモコン３と、を備えて構成される。
【００１８】
図１に示すオーディオシステム１は、コンポ２とリモコン３とが有線で通信接続され、コンポ２にはＤＡＰが通信接続されていることを示している。また、図２に示すオーディオシステム１は、コンポ２とリモコン３とが無線で通信接続され、コンポ２にはＤＡＰが通信接続されていることを示している。
【００１９】
次に、図３を参照して、コンポ２の内部構成について説明する。図３に示すようにコンポ２は、第１の制御部としてのＣＰＵ（Central Processing Unit）２１と、ＲＯＭ（Read Only Memory）２２と、ＲＡＭ（Random Access Memory）２３と、表示部２４と、操作部２５と、記憶部２６と、第１の通信部としての通信部２７と、接続部２８と、を備えて構成される。
【００２０】
ＣＰＵ２１は、コンポ２の各部を中央制御する。ＣＰＵ２１は、ＲＯＭ２２に記憶されているシステムプログラム及び各種アプリケーションプログラムの中から指定されたプログラムを当該ＲＡＭ２３に展開し、ＲＡＭ２３に展開されたプログラムとの協働で、各種処理を実行する。
【００２１】
また、ＣＰＵ２１は、コンポ２で再生可能なデータ（楽曲）に関する再生情報（楽曲情報）を管理するための管理データベース情報を作成し、当該作成された管理データベース情報を通信部２７を介してリモコン３に送信する。具体的には、ＣＰＵ２１は、リモコン３が有する管理データベース情報の更新が必要であるか否かを判別し、更新が必要な場合に、管理データベース情報を通信部２７を介してリモコン３に送信する。
【００２２】
また、ＣＰＵ２１は、コンポ２に外部デバイス（新規デバイス）が接続された場合、当該接続された新規デバイスから楽曲情報を取得し、当該取得された楽曲情報に基づいて、管理データベース情報を再構成し、当該再構成された管理データベース情報を通信部２７を介してリモコン３に送信する。
【００２３】
ＲＯＭ２２は、情報の書き換え可能な記録媒体であって、ＣＰＵ１１により実行されるプログラムを記憶している。具体的には、ＲＯＭ２２は、後述するコンポ側動作プログラム、第１の更新プログラム、第２の更新プログラム、第３の更新プログラム、第１の新規デバイス追加プログラム、第２の新規デバイスプログラムを記憶する。
【００２４】
ＲＡＭ２３は、揮発性のメモリである。また、ＲＡＭ２３は、実行される各種プログラムやこれら各種プログラムに係るデータ等を格納するワークエリアを有する。
【００２５】
表示部２４は、ＬＣＤ（Liquid Crystal Display）等により構成され、ＣＰＵ２１から入力される表示制御信号に従って画面表示を行う。
【００２６】
操作部２５は、各種入力キー等を備え、ユーザからの各種情報の操作入力を各種入力キーから受け付け、その情報をＣＰＵ２１に出力する。
【００２７】
記憶部２６は、磁気記録媒体を有するＨＤＤ（Hard Disk Drive）やフラッシュメモリ等により構成され、各種プログラム及び各種データを記録媒体から読み出し及び書き込み可能に記憶する。具体的には、記憶部２６は、後述する楽曲情報及び管理データベース情報を記憶する。
【００２８】
通信部２７は、リモコン３と有線又は無線で通信接続され、情報を送受信する。接続部２８は、ＤＡＰと通線接続され、情報を送受信する。通信部２７には、管理データベース情報の授受（送受信）に関する通信機能に加えて、リモコン３からの操作信号を受信する機能も含まれる。これらの機能は、各々異なる通信手段を用いてもよく、共通の通信手段を用いてもよい。
【００２９】
次に、図４を参照して、リモコン３の内部構成について説明する。図３に示すように、リモコン３は、第２の制御部としてのＣＰＵ３１と、ＲＯＭ３２と、ＲＡＭ３３と、表示部３４と、遠隔操作部としての操作部３５と、記憶部３６と、遠隔操作部としての通信部３７と、を備えて構成される。ＣＰＵ３１、ＲＯＭ３２、ＲＡＭ３３、表示部３４、操作部３５、記憶部３６、通信部３７は、図３に示すＣＰＵ２１、ＲＯＭ２２、ＲＡＭ２３、表示部２４、操作部２５、記憶部２６、通信部２７とそれぞれ同様の構成である。以下、異なる部分を主として説明する。
【００３０】
ＣＰＵ３１は、管理データベース情報を通信部３７を介して受信し、当該受信された管理データベース情報に含まれる楽曲情報を表示部３４に表示させる。そして、ＣＰＵ３１は、表示された楽曲情報の中から選択された楽曲情報に対応する楽曲の再生にかかわる指示（操作信号）を通信部３７を介してコンポ２に送信する。
【００３１】
ＲＯＭ３３は、後述するリモコン側動作プログラムを記憶する。また、記憶部３６は、後述する管理データベース情報を記憶する。
【００３２】
操作部３５は、楽曲の再生にかかわる操作指示の入力を受け付け、その情報をＣＰＵ３１に出力する。
【００３３】
通信部３７は、楽曲の再生にかかわる操作指示（楽曲の「再生」「停止」「一時停止」「早送り」「早戻し」等の指示）をコンポ２に送信する。具体的には、通信部３７は、有線通信や無線通信（ブルートゥース、トランスファージェット等）により、遠隔操作された楽曲の再生指示を送信する通信機能を有する。また、通信部３７は、楽曲の再生指示以外のリモコン操作指示（例えば、楽曲の「停止」「一時停止」「早送り」「早戻し」等の指示）をコンポ２に送信する通信機能を有する。楽曲の再生指示を送信する機能とリモコン操作指示を送信する機能とは、各々別々の通信手段を用いてもよく、共通の通信手段を用いてもよい。
【００３４】
次に、再生情報としての楽曲情報を説明する。楽曲情報は、コンポ２で再生可能な楽曲に関する情報である。図５は、楽曲情報の一例を示した図である。図５に示すように、楽曲情報は、ＩＤ（楽曲ＩＤ）と、アーティスト名と、アルバム名と、タイトル名（楽曲名）と、トラック番号と、ムードと、キーと、言語と、歌詞と、ジャンルと、再生回数と、画像と、発表した年（発表年）と、録音した日付と、ビットレートと、ＦｏｌｄｅｒＬｉｎｋ用ＩＤ（親ＩＤ、子ＩＤ）と、を有する。
楽曲ＩＤは、楽曲を識別するための情報である。ＦｏｌｄｅｒＬｉｎｋ用ＩＤ（親ＩＤ、子ＩＤ）は、後述する親ＩＤ、子ＩＤに該当する。
【００３５】
次に、管理データベース情報について説明する。管理データベース情報は、楽曲情報を管理するためのデータベースである。なお、管理データベース情報には、楽曲の音データは含まれない。図６は、管理データベース情報の一例を示した図である。図６に示すように、管理データベース情報は、ＩＤ（楽曲ＩＤ）と、アーティスト名と、アルバム名と、タイトル名（楽曲名）と、ＦｏｌｄｅｒＬｉｎｋ親ＩＤ（以下、親ＩＤ）と、ＦｏｌｄｅｒＬｉｎｋ子ＩＤ（以下、子ＩＤ）と、その他（ｅｔｃ・・・：例えば、発表年、ジャンル等）と、を有しそれぞれが関連付けられている。
親ＩＤは、楽曲が格納されているフォルダの上位階層のフォルダを識別するための情報である。子ＩＤは、楽曲が格納されているフォルダの下位階層のフォルダを識別するための情報である。  
【００３６】
次に、図７〜図１５を参照して、オーディオシステム１の動作を説明する。先ず、図７を参照して、コンポ側動作処理について説明する。コンポ側動作処理は、リモコン３から操作信号を受信し、当該受信した操作信号に基づいて、コンポ２に各動作を実行させる処理である。
【００３７】
例えば、コンポ２において、通信部２７を介してリモコン３から操作信号の受信が開始されたことをトリガとして、ＲＯＭ２２から読み出されて適宜ＲＡＭ２３に展開されたコンポ側動作プログラムと、ＣＰＵ２１との協働によりコンポ側動作処理が実行される。
【００３８】
先ず、リモコン３からの操作信号を受信したか否かが判別される（ステップＳ１１）。具体的には、後述するリモコン側動作処理のステップＳ２３又はステップＳ２４において送信された操作信号を通信部２７を介して受信したか否かに基づいて、本ステップの判別が行われる。
【００３９】
ステップＳ１１において、操作信号が受信されていないと判別された場合（ステップＳ１１；ＮＯ）、ステップＳ１１に移行される。ステップＳ１１において、操作信号が受信されたと判別された場合（ステップＳ１１；ＹＥＳ）、受信された操作信号に楽曲ＩＤを含むか否かが判別される（ステップＳ１２）。
【００４０】
ステップＳ１２において、操作信号に楽曲ＩＤが含まれると判別された場合（ステップＳ１２；ＹＥＳ）、操作信号に基づいて、ＩＤ指定された楽曲の動作が行われる（ステップＳ１３）。具体的には、操作信号に含まれる楽曲ＩＤを有する楽曲が選択され、当該選択された楽曲の再生が行われる。
【００４１】
ステップＳ１３の実行後、コンポ側動作処理は終了される。ステップＳ１２において、操作信号に楽曲ＩＤが含まれないと判別された場合（ステップＳ１２；ＮＯ）、操作信号に基づいた動作が行われる（ステップＳ１４）。具体的には、リモコン３より「再生」「停止」「一時停止」「早送り」「早戻し」等の操作信号を受信したことによる動作が行われる。例えば、コンポ２にＣＤが挿入された後にＣＤスタンバイ状態となっているときにリモコン３より「再生」の操作信号を受信すると、ＣＤの１曲目から再生動作が行われる。さらに、何らかの楽曲を再生中にリモコン３より「停止」「一時停止」「早送り」「早戻し」等の操作信号を受信すると、再生中の楽曲に対して、受信された操作信号に基づいた動作が行われる。ステップＳ１４の実行後、コンポ側動作処理は終了される。
【００４２】
次に、図８を参照して、リモコン３で実行されるリモコン側動作処理について説明する。リモコン側動作処理は、ユーザから操作部３５を介して操作入力された情報に基づく操作信号をコンポ２に送信する処理である。  
【００４３】
例えば、リモコン３において、リモコン側動作処理の実行指示が操作部３５を介して入力されたことをトリガとして、ＲＯＭ３２から読み出されて適宜ＲＡＭ３３に展開されたリモコン側動作プログラムと、ＣＰＵ３１との協働によりリモコン側動作処理が実行される。
【００４４】
先ず、ユーザ操作有りか否かが判別される（ステップＳ２１）。具体的には、操作部３５を介してユーザから操作入力された情報がＣＰＵ３１により受信されたか否かにより本ステップの判別が行われる。
【００４５】
ステップＳ２１において、ユーザ操作なしと判別された場合（ステップＳ２１；ＮＯ）、ステップＳ２１に移行される。ステップＳ２１において、ユーザ操作有りと判別された場合（ステップＳ２１；ＹＥＳ）、楽曲指定に関する操作であるか否かが判別される（ステップＳ２２）。例えば、表示部３４に表示された楽曲情報（後述する図１０及び図１１に示す楽曲ファイルの楽曲名）の中から、ユーザ所望の楽曲情報を選択（指定）する操作入力がされたか否かに基づいて、本ステップの判別が行われる。
【００４６】
ステップＳ２２において、楽曲指定に関する操作であると判別された場合（ステップＳ２２；ＹＥＳ）、ステップＳ２２において選択された楽曲情報に対応する楽曲ＩＤが管理データベース情報から読み出される。そして、読み出された楽曲ＩＤを含む操作信号がコンポ２に送信される（ステップＳ２３）。具体的には、楽曲ＩＤを含み、当該楽曲ＩＤを有する楽曲を再生指示する操作信号がコンポ２に送信される。ステップＳ２３の実行後、リモコン動作処理は終了される。
【００４７】
ステップＳ２２において、楽曲指定に関する操作でないと判別された場合（ステップＳ２２；ＮＯ）、操作信号がコンポ２に送信される（ステップＳ２４）。具体的には、楽曲指定に関する操作ではない操作信号（「再生」「停止」「一時停止」「早送り」「早戻し」等の操作信号）がコンポ２に送信される。ステップＳ２４の実行後、リモコン動作処理は終了される。
【００４８】
次に、図９を参照して、コンポ２で実行される第１の更新処理を説明する。第１の更新処理は、コンポ２とリモコン３とが有線接続されており、リモコン３のデータベース情報を更新する必要がある場合に、リモコン３のデータベース情報を更新する処理である。
【００４９】
ここでいう有線接続とは、接続コードを用いた有線接続に限らず、コンポ２に設置または接続されたクレードルへのリモコン３の設置による接続であってもよい。
【００５０】
例えば、コンポ２において、ユーザにより操作部２５を介して第１の更新処理の実行指示が入力されたことをトリガとして、ＲＯＭ２２から読み出されて適宜ＲＡＭ２３に展開された第１の更新プログラムと、ＣＰＵ２１との協働により第１の更新処理が実行される。
【００５１】
先ず、リモコン３が有線接続されたか否かが判別される（ステップＳ３１）。具体的には、通信部２７を介してリモコン３と有線接続されたことを示す信号がＣＰＵ２１により受信されたか否かに基づいて、本ステップの判別が行われる。
【００５２】
ステップＳ３１において、リモコン３が有線接続されていないと判別された場合（ステップＳ３１；ＮＯ）、後述するステップＳ３５に移行される。ステップＳ３１において、リモコン３が有線接続されたと判別された場合（ステップＳ３１；ＹＥＳ）、リモコン３の管理データベース情報の更新要であるか否かが判別される（ステップＳ３２）。具体的には、コンポ２が有する管理データベース情報の時間情報と、リモコン３が有する管理データベース情報の時間情報とが比較され、両時間情報が一致しているか否かに基づいて、本ステップの判別が行われる。時間情報は、管理データベース情報が更新されたときの時間を示す情報である。例えば、両時間情報が同一である場合は、コンポ２で再生可能な楽曲に変化がないため、リモコン３の管理データベース情報の更新は不要と判別される。また、リモコン３が有する管理データベース情報に対してコンポ２が有する管理データベース情報の時間情報が新しい場合は、コンポ２で再生可能な楽曲に変化（再生可能な楽曲が増えた又は減った）があったことにより、リモコン３の管理データベース情報は更新要であると判別される。
【００５３】
ステップＳ３２において、リモコン３の管理データベース情報の更新要であると判別された場合（ステップＳ３２；ＹＥＳ）、通信部２７を介してリモコン３へ管理データベース情報が送信される（ステップＳ３３）。
【００５４】
ステップＳ３２において、リモコン３の管理データベース情報の更新要でないと判別された場合（ステップＳ３２；ＮＯ）、又はステップＳ３３の実行後、リモコン３の接続が解除されたか否かが判別される（ステップＳ３４）。具体的には、通信部２７を介してリモコンとの接続が解除されたことを示す信号がＣＰＵ２１により受信されたか否かに基づいて、本ステップの判別が行われる。
【００５５】
ステップＳ３４において、リモコン３の接続が解除されていないと判別された場合（ステップＳ３４；ＮＯ）、ステップＳ３４に移行される。ステップＳ３４において、リモコン３の接続が解除されたと判別された場合（ステップＳ３４；ＹＥＳ）、コンポ動作処理が実行される（ステップＳ３５）。すなわち、図７で説明したコンポ動作処理が実行される。ステップＳ３５の実行後、第１の更新処理は終了される。第１の更新処理が終了されると、コンポ２とリモコン３との有線接続は解除され（有線が外され）、通常のリモコンと同様に、コンポ２とリモコン３との間では、赤外線等により無線通信が行われる。
【００５６】
ここで、第１の更新処理が行われた場合におけるリモコン３側の処理について説明する。第１の更新処理が行われた場合、リモコン３側では、第１の更新処理のステップＳ３３において送信された管理データベース情報が受信され、当該受信された管理データベース情報が記憶部３６に記憶される。そして、記憶された管理データベース情報に基づいて、楽曲情報を選択するための選択リストが作成される。具体的には、「フォルダ名」「アーティスト名」「アルバム名」「発表年」「ジャンル」といった選択情報からなる選択リストが表示部３４に表示される。そして、表示された選択リストがユーザにより参照され、選択リストの中からユーザ所望の情報が選択される。
【００５７】
ここで、図１０を参照して、ユーザにより操作部２５を介して、選択リストの中から「フォルダ」が選択された場合に、「フォルダ」に含まれる楽曲ファイルの楽曲名を表示する表示画面について説明する。図１０は、Ｒｏｏｔ（１）フォルダのツリー構造を表示する表示画面の一例を示した図である。フォルダのツリー構造は、あるフォルダに関連付けられたフォルダの構造を示すものである。
【００５８】
図１０に示すように、Ｒｏｏｔ（１）フォルダには、「２」「５」「８」フォルダが子フォルダとして関連付けられていることが示す。ここで、「２」「５」「８」は、子ＩＤに該当する。また、各フォルダには、子ＩＤとともにフォルダに付与された名称（フォルダ名）が表示される。
【００５９】
また、図１０に示すように、「２」フォルダの中には「１０」ファイル（楽曲名が「１０」である楽曲ファイル）が格納されていることを示す。
【００６０】
すなわち、Ｒｏｏｔ（１）フォルダに関連付けられたフォルダと、当該フォルダに格納された楽曲とがツリー構造として表示され、フォルダ名や楽曲名が各々のフォルダや楽曲ファイルに付与された名称で表示される。そして、表示されたツリー構造がユーザにより参照され、ユーザ所望の楽曲名を選択する操作入力が行われる。
【００６１】
次に、図１１を参照して、ユーザにより操作部３５を介して選択リストの中から「アーティスト」が選択された場合に、「アーティスト」に含まれる楽曲ファイルの楽曲名を表示する表示画面について説明する。図１１は、アーティスト名の一覧、アーティストの楽曲アルバム名及び楽曲ファイルの楽曲名を表示する表示画面の一例を示した図である。例えば、ユーザにより「Ａ」というアーティストを選択する操作入力がされると、「Ａ」の楽曲アルバム名の一覧が表示される。そして、表示された楽曲アルバム名の中からユーザ所望の楽曲アルバム名を選択する操作入力がされると、選択された楽曲アルバム名に格納されている楽曲名の一覧が表示される。そして、表示された楽曲名の一覧の中からユーザ所望の楽曲名を選択する操作入力がされる。
【００６２】
図１０及び図１１を参照して説明したとおり、表示部３４に表示された楽曲ファイルの楽曲名の中からユーザ所望の楽曲名を選択する操作入力が行われることで、ユーザから楽曲指定に関する操作がされたと判別され（すなわち、リモコン動作処理のステップＳ２２；ＹＥＳと判別され）、以降の処理（リモコン動作処理のステップＳ２３又はＳ２４）が実行される。
【００６３】
次に、図１２を参照して、コンポ２で実行される第２の更新処理を説明する。第２の更新処理は、コンポ２とリモコン３とが無線接続されており、リモコン３のデータベース情報を更新する必要がある場合に、リモコン３のデータベース情報を更新する処理である。
【００６４】
予め、コンポ２とリモコン３とはブルートゥース（Bluetooth）（登録商標）等により無線接続されているものとする。  
【００６５】
例えば、コンポ２において、ユーザにより操作部２５を介して第２の更新処理の実行指示が入力されたことをトリガとして、ＲＯＭ２２から読み出されて適宜ＲＡＭ２３に展開された第２の更新プログラムと、ＣＰＵ２１との協働により第２の更新処理が実行される。
【００６６】
先ず、リモコン３と無線接続が確立されたか否かが判別される（ステップＳ４１）。具体的には、通信部２７を介してリモコン３と無線接続が確立されたことを示す信号がＣＰＵ２１により受信されたか否かに基づいて、本ステップの判別が行われる。
【００６７】
ステップＳ４２、Ｓ４３は、第１の更新処理のステップＳ３２、Ｓ３３とそれぞれ同様である。また、ステップＳ４４は、第１の更新処理のステップＳ３５と同様である。ステップＳ４４の実行後、第２の更新処理は終了される。
【００６８】
なお、第２の更新処理が行われた場合、リモコン３側では、第１の更新処理が行われた場合におけるリモコン３側の処理と同様の処理が行われる。
【００６９】
次に、図１３を参照して、コンポ２で実行される第３の更新処理を説明する。第３の更新処理は、コンポ２とリモコン３とが近距離無線通信により通信可能であり、リモコン３のデータベース情報を更新する必要がある場合に、リモコン３のデータベース情報を更新する処理である。
【００７０】
この場合、コンポ２とリモコン３とは、近距離無線通信接続技術（トランスファージェット）を適用した機器（図示省略）を介して無線通信を行うものとする。
【００７１】
例えば、ユーザにより操作部２５を介して第３の更新処理の実行指示が入力されたことをトリガとして、ＲＯＭ２２から読み出されて適宜ＲＡＭ２３に展開された第３の更新プログラムと、ＣＰＵ２１との協働により第３の更新処理が実行される。
【００７２】
先ず、リモコン３と近距離無線接続されたか否かが判別される（ステップＳ５１）。具体的には、ユーザによりトランスファージェットを適用した機器にリモコン３がかざされることで、リモコン３と近距離無線接続されたことを示す信号がＣＰＵ２１により受信されたか否かに基づいて、本ステップの判別が行われる。
【００７３】
ステップＳ５２、５３は、第１の更新処理のステップＳ３２、Ｓ３３とそれぞれ同様である。また、ステップＳ５４は、第１の更新処理のステップＳ３５と同様である。ステップＳ５４の実行後、第３の更新処理は終了される。
【００７４】
なお、第３の更新処理が行われた場合、リモコン３側では、第１の更新処理が行われた場合におけるリモコン３側の処理と同様の処理が行われる。
【００７５】
次に、図１４を参照して、コンポ２で実行される第１の新規デバイス追加処理を説明する。第１の新規デバイス追加処理は、新規デバイスがコンポに追加（接続）された際、管理データベース情報を再構成する処理である。
【００７６】
例えば、コンポ２において、ユーザにより操作部２５を介して第１の新規デバイス追加処理の実行指示が入力されたことをトリガとして、ＲＯＭ２２から読み出されて適宜ＲＡＭ２３に展開された第１の新規デバイス追加プログラムと、ＣＰＵ２１との協働により第１の新規デバイス追加処理が実行される。
【００７７】
先ず、新規デバイスが追加されたか否かが判別される（ステップＳ６１）。具体的には、新規デバイス（ＣＤ、ＤＡＰ、メモリカード、ＵＳＢメモリ、外付ＨＤＤ等）がコンポ２に追加（接続、入れ替え等）されたか否かが判別される。例えば、コンポ２にＤＡＰが接続された場合、コンポ２にＤＡＰが接続されたことを示す信号がＣＰＵ２１により受信されたか否かに基づいて、本ステップの判別が行われる。
【００７８】
ステップＳ６１において、新規デバイスが追加されなかったと判別された場合（ステップＳ６１；ＮＯ）、第１の新規デバイス追加処理は終了される。
【００７９】
ステップＳ６１において、新規デバイスが追加されたと判別された場合（ステップＳ６１；ＹＥＳ）、新規デバイスを包含した管理データベース情報が再構成される（ステップＳ６２）。具体的には、新規デバイスが保有している楽曲情報が新規デバイスから取得され、当該取得された楽曲情報を管理データベース情報に反映させる処理が行われることで、管理データベース情報の再構成が行われる。
【００８０】
ステップＳ６２の実行後、データベース情報の更新表示指示がされる（ステップＳ６３）。具体的には、コンポ２の表示部２４に「リモコンを接続してください」「リモコンをタッチしてください」などが表示される。この表示により、ユーザに対して、リモコン３の有線接続による管理データベース情報の更新やトランスファージェットでの管理データベース情報の更新を促すことができる。このとき、赤外線等によりコンポ２とリモコン３との通信が相互に可能である場合は、上述の表示はリモコン３側の表示部３４に表示することとしてもよい。
【００８１】
ステップＳ６３の実行後、第１の更新処理又は第２の更新処理が実行される（ステップＳ６４）。例えば、コンポ２とリモコン３とが有線接続された場合は、第１の更新処理（図９）が実行される。また、コンポ２とリモコン３とが近距離無線通信された場合は第３の更新処理（図１３）が実行される。ステップＳ６４の実行後、第１の新規デバイス追加処理は終了される。  
【００８２】
次に、図１５を参照して、コンポ２で実行される第２の新規デバイス追加処理を説明する。第２の新規デバイス追加処理は、コンポ２とリモコン３とが無線接続されている場合に、新規デバイスがコンポ２に接続された際、管理データベース情報を再構成する処理である。
【００８３】
予め、コンポ２とリモコン３とはブルートゥース（Bluetooth）（登録商標）等により無線接続されているものとする。
【００８４】
例えば、コンポ２において、新規デバイスが接続されたことをトリガとして、ＲＯＭ２２から読み出されて適宜ＲＡＭ２３に展開された第２の新規デバイス追加プログラムと、ＣＰＵ２１との協働により第２の新規デバイス追加処理が実行される。
【００８５】
ステップＳ７１、７２は、第１の新規デバイス追加処理のステップＳ６１、６２とそれぞれ同様である。ステップＳ７２の実行後、第２の更新処理（図１２）が実行される（ステップＳ７３）。ステップＳ７３の実行後、第２の新規デバイス追加処理は終了される。
【００８６】
以上、本実施の形態によれば、リモコン３は、コンポ２から受信した管理データベース情報に含まれる楽曲情報（楽曲ファイルの楽曲名）を表示部３４に表示させ、当該表示された楽曲名の中から選択された楽曲名に対応する楽曲の再生指示を通信部３７を介してコンポ２に送信する。このため、ユーザは、リモコンの表示部３４に表示された楽曲名を参照して所望の楽曲の選択を行い、選択された楽曲をコンポ２で再生させることができるので、リモコン３を用いて楽曲選択をする際にわざわざコンポ２側の表示部２４を参照して楽曲選択をする必要がない。すなわち、ユーザの手間を要することなく楽曲選択が可能となり、ユーザの操作性を向上させることができる。
【００８７】
また、コンポ２は、リモコン３が有する管理データベース情報の更新が必要な場合に、管理データベース情報をリモコン３に送信することができる。
【００８８】
また、コンポ２に外部デバイスが接続された場合（新規デバイスが追加された場合）、管理データベース情報を再構成し、再構成された管理データベース情報をリモコン３に送信することができる。
【００８９】
また、ユーザは、リモコン３の表示部３４に表示された選択リストの中から所望の選択情報（例えば、フォルダ名）を選択することができる。また、選択されたフォルダ名を有するフォルダに含まれる楽曲名が表示部３４に表示されるので、ユーザは、所望の楽曲の選択を行い、選択された楽曲をコンポ２で再生させることができる。
【００９０】
また、リモコン３が管理データベース情報を取得することができるので、ＤＡＰ端末の機種に依存されずにアーティスト一覧や名前順の変更、曲名一覧といったリモコン独自のＵＩ（ユーザーインターフェース）を持つことができる。例えば、ＤＡＰではアーティストの名前順がアルファベット、カタカナ、平仮名、漢字の順番というＵＩを持っていった場合であっても、リモコン３では漢字、平仮名、カタカナ、アルファベットの順というようなＵＩを持つことができる。また、リモコンは、ジャケット画像の表示や再生回数順のリストといったＵＩを持つことができる。
【００９１】
また、ユーザは管理データベース情報から所望の情報を選択することで、ユーザオリジナルのＵＩを利用することができる。
【００９２】
また、リモコン３は操作信号をコンポ２に送信するので、トランスミッターでデコードし音声信号を送信する非圧縮伝送方式よりも通信データ量を格段に少なくすることができる。
【００９３】
また、リモコン３の表示部３４に楽曲情報が表示されるので、表示部２４を有しないコンポ２であっても、ユーザは楽曲名の選択を行うことができる。
【００９４】
なお、上記各実施の形態における記述は、本発明に係るオーディオシステムの一例であり、これに限定されるものではない。
【００９５】
例えば、表示部３４に表示される情報の例として、図１０及び図１１を参照して説明したが、これに限定されるものではない。例えば、ユーザにより選択リストの中から「アルバム名」、「発表年」又は「ジャンル」が選択された場合、当該選択された情報が表示部３４に表示されることとしてもよい。
【００９６】
また、リモコン３の表示部３４をタッチパネルと一体的に構成するものとしてもよい。これにより、ユーザは、楽曲名の選択をタッチ操作で行うことができる。
【００９７】
また、コンポ２の表示部２４を脱着したディスプレイをリモコン３の代わりとして適用することとしてもよい。この場合、脱着したディスプレイをリモコン３の代わりとして適用するので、脱着したディスプレイとコンポ２とでオーディオシステム１を構築することができる。
【００９８】
また、リモコン３の表示部３４に楽曲情報が表示されるので、コンポ２に必要な操作ボタン（再生ボタン、停止ボタン等）だけを持たせる構成であっても、オーディオシステム１を構築することができる。
【００９９】
また、コンポ２の記憶部２６に記憶されている楽曲情報から管理データベース情報を作成することとしてもよい。
【０１００】
また、複数の新規デバイスをコンポ２に接続する場合、新規デバイス個別のリスト（管理データベース情報）をリモコン３へ送信し、リモコン３が新規デバイス個別のリストを保有（記憶）する構成としてもよい。
【０１０１】
また、上記実施の形態では、データ再生システムをオーディオシステムに適用して説明したが、これに限定されるものではない。例えば、データ再生システムを動画再生システムに適用することとしてもよい。この場合、動画再生システムは、データとしてＤＶＤ等の動画を再生する動画再生装置と、動画再生装置を遠隔操作するリモコン装置とから構成される。また、この場合、管理データベース情報は、動画に関する再生情報（例えば、動画のタイトル名（動画名）等）を管理するためのデータベースとして構成される。
【０１０２】
また、ＤＶＤ等の動画を扱う場合、動画の各章（チャプター）の開始画像をリモコン３に送信することとしてもよい。これにより、各チャプターの開始画像をプレビュー画像としてリモコン３で選択することができる。
【０１０３】
その他、本実施の形態における、オーディオシステム１の細部構造及び詳細動作に関しても、本発明の趣旨を逸脱しない範囲で適宜変更可能である。
【符号の説明】
【０１０４】
１     オーディオシステム
２     コンポ
３     リモコン
１１，２１   ＣＰＵ
１２，２２   ＲＯＭ
１３，２３   ＲＡＭ
２４，３４   表示部
２５，３５   操作部
２６，３６   記憶部
２７，３７   通信部
２８   接続部
【図１】
2010257533.tif 000003
【図２】
2010257533.tif 000004
【図３】
2010257533.tif 000005
【図４】
2010257533.tif 000006
【図５】
2010257533.tif 000007
【図６】
2010257533.tif 000008
【図７】
2010257533.tif 000009
【図８】
2010257533.tif 000010
【図９】
2010257533.tif 000011
【図１０】
2010257533.tif 000012
【図１１】
2010257533.tif 000013
【図１２】
2010257533.tif 000014
【図１３】
2010257533.tif 000015
【図１４】
2010257533.tif 000016
【図１５】
2010257533.tif 000017